(57)【要約】【課題】静電気の帯電を防止することができる離型シートを提供する。【解決手段】合成樹脂フィルムからなる基材９と、該基材９の両面に塗布される帯電防止層１０，１１と、少なくとも一方の帯電防止層１１の表面に塗布される離型剤層１２とを備え、前記基材９が、二軸延伸ポリプロピレンからなっており、また、前記離型剤層１２が、シリコーン樹脂材料からなる皮膜からなっていることを特徴とする離型シート。【選択図】  図１
0003191926.tif 000002
【実用新案登録請求の範囲】
【請求項１】
合成樹脂フィルムからなる基材と、該基材の両面に塗布される帯電防止層と、少なくとも一方の帯電防止層の表面に塗布される離型剤層とを備えていることを特徴とする離型シート。
【請求項２】
前記基材が、二軸延伸ポリプロピレンからなることを特徴とする請求項１に記載の離型シート。
【請求項３】
前記離型剤層が、シリコーン樹脂材料からなる皮膜からなっていることを特徴とする請求項１又は２に記載の離型シート。
【請求項４】
前記帯電防止層が、界面活性剤により構成されることを特徴とする請求項１〜３のいずれか１項に記載の離型シート。
【考案の詳細な説明】
【技術分野】
【０００１】
本考案は、例えば閉塞可能な袋の開口部に備える接着面に貼り付けられる離型シートに関する。
【背景技術】
【０００２】
従来から、閉塞可能な袋の開口部の接着面に離型シートを貼り付けることによって、接着面が他物に接触することがないようにしている。その離型シートが、プラスチックフィルムからなる基材と、基材の両面のうちの一方の面に離型剤層を備えて構成されている（例えば、特許文献１参照）。
【先行技術文献】
【特許文献】
【０００３】
【特許文献１】特開平９−２０７２８５号公報
【考案の概要】
【考案が解決しようとする課題】
【０００４】
上記特許文献１の離型シートがプラスチックフィルムからなる基材であるため、例えば他物との接触によって基材に静電気が帯電し易い。そのため、離型シートを剥がしたときに、離型シートが手にまとわりついてしまい、袋に物を収納して開口部を閉じる作業において作業性が低下していた。
【０００５】
そこで、本考案は、かかる事情に鑑みてなされたもので、静電気の帯電を防止することができる離型シートを提供することを課題とする。
【課題を解決するための手段】
【０００６】
本考案に係る離型シートは、合成樹脂フィルムからなる基材と、該基材の両面に塗布される帯電防止層と、少なくとも一方の帯電防止層の表面に塗布される離型剤層とを備えていることを特徴としている。
【０００７】
本考案によれば、基材の両面に帯電防止層を備えているので、基材に静電気が帯電することを防止できる。これによって、離型シートを剥がしたときに離型シートが手にまとわりついてしまうことがない。
【０００８】
また、本考案に係る離型シートは、前記基材が、二軸延伸ポリプロピレンからなっていることが好ましい。
【０００９】
上記のように、基材を、二軸延伸ポリプロピレンから構成しておけば、保形強度が高く、容易に折れ曲がってしまうことがない。これにより離型シートを容易に剥がし易い。
【００１０】
また、本考案に係る離型シートは、前記離型剤層が、シリコーン樹脂材料からなる皮膜からなっていることが好ましい。
【００１１】
上記のように、離型剤層を、離型性において優れているシリコーン樹脂材料から構成しておけば、離型シートを貼り付けられている部分から離型し易い。
【００１２】
また、本考案に係る離型シートは、前記帯電防止層が、界面活性剤により構成されていることが好ましい。
【００１３】
上記のように、帯電防止層が、界面活性剤により構成されていれば、金属酸化物粒子を添加して帯電防止層を構成している場合に比べて、コスト面において有利になる。
【考案の効果】
【００１４】
以上の如く、本考案によれば、基材の両面に帯電防止層を備えることによって、静電気の帯電を防止することができる離型シートを提供することができる。これによって、離型シートを剥がすときに離型シートがまとわりつくことがなく、袋に物を収納して開口部を閉じる作業を容易迅速に行うことができる。
【図面の簡単な説明】
【００１５】
【図１】（ａ）は本考案の離型シートを剥がしかけている包装袋の斜視図、（ｂ）は図１（ａ）におけるＡ−Ａ線断面図である。
【図２】他の離型シートの断面図である。
【考案を実施するための形態】
【００１６】
以下、本考案に係る離型シートの一実施形態について、図面に基づいて説明する。
【００１７】
まず、図１（ａ）に、包装袋１に貼り付けられた離型シート２を引き剥がしている状態を示している。
【００１８】
包装袋１は、透明な合成樹脂製の１枚（複数枚でもよい）のフィルム（複合フィルムでもよい）からなる袋本体３と、袋本体３に備える粘着剤層４とを備えている。この粘着剤層４を覆うための前記離型シート２が粘着剤層４の表面に貼り付けられる。
【００１９】
袋本体３は、向かい合わせに位置する長方形状の前側部５と前側部５よりも長い長方形状の後側部６とを有し、それら２つの両側部５，６の長手方向一端側に開口７が形成されている。そして、後側部６の開口側端を前側部５の開口側端よりも延出させて横長で長方形状の封緘部８が形成されている。具体的には、前側部５の遊端に対して後側部６の遊端が延出されるように、一枚の合成樹脂製のフィルムを折り重ね、折り重ねた側部５，６の左右両横側部を熱溶着することによって一端側に開口７を有する袋本体３が形成される。ここでは、縦長状の袋体１を例に挙げて説明しているが、横長状のものや縦寸法と横寸法とが同一の正方形状の包装袋１であってもよい。また、合成樹脂製の包装袋を例に挙げているが、紙製の袋や封筒等であってもよい。
【００２０】
粘着剤層４は、封緘部８の開口側端（図１（ａ）では下端）から反対側の遊端（図１（ａ）では上端）までのほぼ中央に位置する部分の表面に横幅全域に亘る長さを有する帯状の形状に形成されている。また、粘着剤層４は、具体的には、ホットメルト粘着剤やコールドメルト粘着剤、糊などから構成される。従って、離型シート２を引き剥がしてから、封緘部８を前側部５の開口側端部５Ａに重なるように折り曲げることで封緘部８と前側部５の開口側端部５Ａとを粘着剤層４で接着することができる。
【００２１】
離型シート２は、1枚の合成樹脂フィルムからなり、粘着剤層４の表面に離脱可能に固定される横長状で長方形状の基材９と、基材９の両面に塗布される帯電防止層１０，１１と、一方（図１（ｂ）では下側）の帯電防止層１１の表面に塗布される離型剤層１２とを備えている。基材９の両面に帯電防止層１０，１１を備えることによって、離型シート２に静電気が帯電することを防止することができる。これによって、離型シート２を剥がしたときに、離型シート２が手にまとわりついてしまうことがない。
【００２２】
基材９としては、２０μｍ〜３０μｍの任意の厚みの板状の二軸延伸ポリプロピレン（ＯＰＰ）フィルムが最適であるが、無延伸ポリプロピレン（ＣＰ）フィルムであってもよい。前記のように、基材９を、二軸延伸ポリプロピレンから構成することによって、保形強度が高く、容易に折れ曲がってしまうことがない。これにより離型シート２を容易に剥がし易い。
【００２３】
また、離型剤層１２が、シリコーン樹脂材料からなる皮膜からなっている。これにより、離型シート２を粘着剤層４から離型し易い。
【００２４】
帯電防止層１０，１１が、界面活性剤により構成されている。これにより、金属酸化物粒子を添加して帯電防止層を構成している場合に比べて、コスト面において有利になるが、場合によっては、金属酸化物粒子を添加して構成することも可能である。界面活性剤として、陽イオン界面活性剤が帯電防止作用において優れている。
【００２５】
尚、本考案は、前記実施形態に限定されるものではなく、本考案の要旨を逸脱しない範囲で種々の変更が可能である。
【００２６】
前記実施形態では、一方の帯電防止層１１の表面に離型剤層１２を塗布したが、図２に示すように、他方の帯電防止層１０に離型剤層１２を塗布してもよい。
【００２７】
また、前記実施形態では、離型剤層が、シリコーン系化合物（シリコーン樹脂材料）から構成する他、フッ素系化合物であってもよい。
【符号の説明】
【００２８】
１…包装袋、２…離型シート、３…袋本体、４…粘着剤層、５…前側部、６…後側部、５Ａ…開口側端部、７…開口、８…封緘部、９…基材、１０，１１…帯電防止層、１２…離型剤層
【図１】
0003191926.tif 000003
【図２】
0003191926.tif 000004